(57)【要約】    【課題】簡単な構造であり、身頃４の掛け止めを容易にしうる留め具８の提供。    【解決手段】本発明に係る衣服２は、左右の身頃４と、係止部６と、留め具８とを備えている。この係止部６は、一方の身頃４に取り付けられている。この係止部６は、縫い目で構成されている。この留め具８は、この係止部６に掛け止めされうる鉤部３０と、他方の身頃４に取り付けられる保持部３２とを備えている。この鉤部３０は、上方に延びるスロット３４を備えている。このスロット３４の上面３８は、この係止部６の上端２８で支持されうる。この衣服２では、スロット３４が係止部６の直上に位置する地点まで、留め具８の取り付けられた他方の身頃４が横方向に動かされた後に、この身頃４が下向きに動かされるだけで、掛け止めが完了する。この留め具８が取り付けられた衣服２の掛け止めは容易である。【選択図】図１
2007020676.tif 000002
【特許請求の範囲】
【請求項１】
縫い目で構成された係止部が一方の身頃に取り付けられた衣服に用いられる留め具であって、
この係止部に掛け止めされうる鉤部と、他方の身頃に取り付けられる保持部とを備えており、
この鉤部が、上方に延びるスロットを備えており、
このスロットの上面が、この係止部の上端で支持されうる留め具。
【請求項２】
左右の身頃と、係止部と、留め具とを備えており、
この係止部が、一方の身頃に取り付けられており、
この係止部が、縫い目で構成されており、
この留め具が、この係止部に掛け止めされうる鉤部と、他方の身頃に取り付けられる保持部とを備えており、
この鉤部が、上方に延びるスロットを備えており、
このスロットの上面が、この係止部の上端で支持されうる衣服。
【発明の詳細な説明】
【技術分野】
【０００１】
本発明は、留め具に関する。より詳細には、衣服等に使用されて、身頃の掛け止めを容易にしうる留め具に関する。
【背景技術】
【０００２】
衣服の身頃の一般的な掛け止め方法として、ボタン方式とファスナー方式とがある。ボタン方式では、ボタンがボタン穴に挿通されることによって、左右の身頃が掛け止められる。ファスナー方式では、左右の身頃の間に取り付けられた帯状のスライドファスナーの務歯（ティース）が噛み合わされることによって、左右の身頃が掛け止められる。
【発明の開示】
【発明が解決しようとする課題】
【０００３】
幼児、老齢者及び手の不自由な人の握力は低いので、指先で物を摘む力が弱い。このような人たちは、指先で物を摘み、この物を所定の位置に誘導するという動作を不得手としている。このため、幼児、老齢者及び手の不自由な人にとって、ボタン穴にボタンを挿通すること及びスライドファスナーの務歯を噛みあわせることは、容易ではない。
【０００４】
本発明の目的は、簡単な構造であり、身頃の掛け止めを容易にしうる留め具の提供にある。
【課題を解決するための手段】
【０００５】
本発明に係る留め具は、縫い目で構成された係止部が一方の身頃に取り付けられた衣服に用いられる。この留め具は、この係止部に掛け止めされうる鉤部と、他方の身頃に取り付けられる保持部とを備えている。この鉤部は、上方に延びるスロットを備えている。このスロットの上面は、この係止部の上端で支持されうる。
【０００６】
本発明に係る衣服は、左右の身頃と、係止部と、留め具とを備えている。この係止部は、一方の身頃に取り付けられている。この係止部は、縫い目で構成されている。この留め具は、この係止部に掛け止めされうる鉤部と、他方の身頃に取り付けられる保持部とを備えている。この鉤部は、上方に延びるスロットを備えている。このスロットの上面は、この係止部の上端で支持されうる。
【発明の効果】
【０００７】
この留め具が取り付けられた衣服では、この鉤部に備えられるスロットの上面を、この係止部の上端が支持することにより、左右の身頃が掛け止めされうる。この留め具は簡単な構造であるにもかかわらず、この留め具と係止部との掛け止めは安定に保持される。スロットが係止部の直上に位置する地点まで、この留め具が取り付けられた身頃が横に動かされた後に、この身頃が下向きに動かされることにより、左右の身頃の掛け止めが完了する。この留め具が衣服等に取り付けられることにより、幼児、老齢者及び手の不自由な人は衣服等を容易に確実に掛け止めできる。
【発明を実施するための最良の形態】
【０００８】
以下、適宜図面が参照されつつ、好ましい実施形態に基づいて本発明が詳細に説明される。
【０００９】
図１は、本発明の一実施形態に係る衣服２が示された正面図である。図２は、図１のII−II線に沿った断面図である。この衣服２は、左右の身頃４と、係止部６と、留め具８とを備えている。本明細書では、図１中、右側に位置する身頃４は、第一身頃１０と称される。左側に位置する身頃４は、第二身頃１２と称される。第一身頃１０は、その端に係止部６を備えている。第二身頃１２は、その端に留め具８を備えている。なお、この衣服２が、この第一身頃１０が留め具８を備えて、この第二身頃１２が係止部６を備えるように構成されてもよい。
【００１０】
第一身頃１０は、布地１４と、前立て１６とからなる。この前立て１６は、布地１４の表面１８ａに位置している。この前立て１６は上下方向に延びており、その形状は帯状を呈している。この前立て１６の右端が、布地１４に糸２０で縫いつけられている。このため、この衣服２の第一身頃１０には、上下方向に延びるシームライン２２が形成されている。この前立て１６の左端は、この布地１４に縫いつけられていない。この衣服２では、第一身頃１０と第二身頃１２とが掛け止められた状態において、この布地１４と前立て１６との間に、第二身頃１２が入り込んでいる。なお、この前立て１６が、この布地１４の裏面に備えられてもよい。
【００１１】
係止部６は、衣服２の上下方向に延びる縫い目で構成されている。この係止部６は、布地１４と前立て１６とが糸２４で縫いつけられることにより、形成される。この係止部６は、シームライン２２の左側に位置しており、第一身頃１０の端に所定の間隔で上下方向に配置されている。この衣服２では、上側に位置する係止部６の下端２６と、その下側に位置する係止部６の上端２８との間の距離は、留め具８の上下方向における幅よりも長い。  
【００１２】
図３は、図１の衣服２に取り付けられている留め具８が示された正面図である。この留め具８は、一枚のプレートからなる。留め具８は、第二身頃１２の表面１８ｂに取り付けられている。この留め具８も、第二身頃１２の端に、係止部６と同じように所定の間隔で上下方向に配置されている。なお、この留め具８が、第二身頃１２の裏面に取り付けられてもよい。
【００１３】
留め具８は、鉤部３０と保持部３２とを備えている。この鉤部３０は、留め具８の右側に位置している。この保持部３２は、留め具８の左側に位置している。
【００１４】
鉤部３０は、上方に延びるスロット３４と、下方に延びる爪３６とを備えている。このスロット３４は、上面３８と、その上面３８の両端から下方に延びる側面４０とを備えている。図２に示されているように、このスロット３４は、第二身頃１２の縁４２よりも外側に位置している。
【００１５】
保持部３２は、その上側と下側とに２の括れ４４を備えている。この保持部３２が第二身頃１２に糸４６で縫いつけられる。この糸２０は、第二身頃１２の裏面４８から一方の括れ４４を通過した後、第二身頃１２の表面１８ｂから他方の括れ４４を通過し、第二身頃１２の裏面４８に戻る。これが繰り返されて、留め具８が第二身頃１２に固定される。この衣服２では、この保持部３２の最も幅の狭い箇所である括れ４４を糸４６が通過することにより、留め具８が第二身頃１２に固定されているので、この留め具８が左右方向に動くことはない。この留め具８は、第二身頃１２からはずれることはない。なお、この保持部３２が二以上の貫通孔を備えてもよい。この保持部３２が、一の括れ４４と一の貫通孔とを備えてもよい。
【００１６】
図１に示されているように、第一身頃１０と第二身頃１２とが掛け止められた状態において、このスロット３４の上面３８の上下方向の位置と、係止部６の上端２８の上下方向の位置とは、一致している。従って、この状態において、このスロット３４の上面３８はこの係止部６の上端２８に支持されている。
【００１７】
この衣服２では、第一身頃１０と第二身頃１２とが掛け止められた状態において、鉤部３０の爪３６がこの係止部６とシームライン２２との間に入り込むように構成されている。従って、この衣服２では、この係止部６とシームライン２２との間の距離は、爪３６の左右方向の長さと同等以上とされている。この爪３６がこの係止部６とシームライン２２との間に入り込むことにより、係止部６がスロット３４の２の側面４０の間に挟まれる。
【００１８】
この衣服２では、このスロット３４の上面３８がこの係止部６の上端２８に支持されている上に、スロット３４の２の側面４０の間に係止部６が挿入されるので、掛け止められている第一身頃１０と第二身頃１２とが左右方向に動かされても、この留め具８と係止部６とが外れることはない。この衣服２では、係止部６に掛け止められた留め具８が布地１４と前立て１６との間に挟まれているので、この留め具８と係止部６とによる掛け止めは安定に保持されうる。
【００１９】
前述したように、第一身頃１０と第二身頃１２とが掛け止められた状態において、第二身頃１２はこの布地１４と前立て１６との間に入り込んでいる。第二身頃１２がこの布地１４と前立て１６との間に入り込むことにより、留め具８が前立て１６に覆われるので、この留め具８が露出することはない。図示されていないが、この前立て１６の表面１８ｃに飾りボタン等が取り付けられてもよい。
【００２０】
図４は、図１の衣服２の留め具８と係止部６とが掛け止められる状況が示された拡大斜視図である。この図４中、矢印線Ａは第二身頃１２の第一身頃１０への挿入方向を表している。この留め具８と係止部６との掛け止めは、次の要領で実施される。まず、第二身頃１２に取り付けられた留め具８が、布地１４と前立て１６との間に挿入される。前述したように、この衣服２では、上側に位置する係止部６の下端２６とその下側に位置する係止部６の上端２８との間の距離が、留め具８の上下方向における最大幅よりも長い。このため、布地１４と前立て１６の間に挿入された留め具８は、上下に並ぶ係止部６の間を通過しうる。この係止部６の左側にはシームライン２２が形成されているので、爪３６が係止部６を越えるとこの留め具８はやがて行き止まる。この衣服２では、留め具８が行き止まったときに、スロット３４が係止部６の直上に到達するように留め具８と係止部６とが配置されている。このため、この留め具８が行き止まりに到達した状態で第二身頃１２が下げられることにより、係止部６がこのスロット３４の両側面４０の間に挿入される。そして、このスロット３４の上面３８が、この係止部６の上端２８で支持される。このようにして、この留め具８は、係止部６に掛け止められる。この衣服２では、第二身頃１２が右方向に動かされて、行き止まりが感じられた時点で、この第二身頃１２が下げられるだけで、この第一身頃１０と第二身頃１２とは容易に掛け止められる。この掛け止められた第一身頃１０と第二身頃１２とは、第一身頃１０を下に、第二身頃１２を上に動かした後に、第一身頃１０と第二身頃１２とが外側に動かされることにより、容易に掛け外される。
【００２１】
この衣服２に取り付けられている留め具８は簡単な構造であるにもかかわらず、留め具８と係止部６とは容易に掛け止めされうる。そして、この留め具８と係止部６との掛け止めは安定に保持されうる。このような留め具８が衣服２等に取り付けられることにより、幼児、老齢者及び手の不自由な人は衣服２等を容易に確実に掛け止めできる。
【００２２】
この留め具８の材質としては、金属材料及び合成高分子材料が例示される。金属材料としては、スチール、アルミニウム合金及びステンレススチールが例示される。耐食性の観点から、ステンレススチールが好ましい。合成高分子材料としては、強度及び加工性の観点から、プラスチック材料が好ましい。プラスチック材料としては、ポリ塩化ビニル、ポリスチレン、ポリエチレン、ポリプロピレン、ポリアセタール及びナイロンが例示される。汎用性の観点から、ポリエチレン及びポリプロピレンが好ましい。
【産業上の利用可能性】
【００２３】
本発明に係る留め具は、種々の衣服に用いられる。
【図面の簡単な説明】
【００２４】
【図１】図１は、本発明の一実施形態に係る衣服が示された正面図である。
【図２】図２は、図１のII−II線に沿った断面図である
【図３】図３は、図１の衣服に取り付けられている留め具が示された正面図である。
【図４】図４は、図１の衣服の留め具と係止部とが掛け止められる状況が示された拡大斜視図である。
【符号の説明】
【００２５】
２・・・衣服
４・・・身頃
６・・・係止部
８・・・留め具
１０・・・第一身頃
１２・・・第二身頃
１４・・・布地
１６・・・前立て
１８ａ、１８ｂ、１８ｃ・・・表面
２０、２４、４６・・・糸
２２・・・シームライン
２６・・・下端
２８・・・上端
３０・・・鉤部
３２・・・保持部
３４・・・スロット
３６・・・爪
３８・・・上面
４０・・・側面
４２・・・縁
４４・・・括れ
４８・・・裏面
【図１】
2007020676.tif 000003
【図２】
2007020676.tif 000004
【図３】
2007020676.tif 000005
【図４】
2007020676.tif 000006